(57)【特許請求の範囲】
【請求項１】
表面側シート及び裏面側シートを有し着用者の陰唇に挟み込んで装着される陰唇間パッドと、該陰唇間パッドを個別に包装するための個別包装体と、を備え、前記陰唇間パッドは、前記裏面側シート同士が対向するように２つ折にされて折り畳まれた状態で前記表面側シートと前記個別包装容器の内面とが対向するように前記個別包装体に包装される包装体であって、
前記個別包装容器の内面における前記表面側シートと接する位置には、静摩擦係数０．２００以上０．６００以下のずれ止め要素が配されると共に、
前記個別包装容器の内面と前記表面側シートとが接する位置における該個別包装容器と該表面側シートとの間の静摩擦係数は、０．２２０以上０．５００以下であり、
前記表面側シートと接する位置の前記個別包装容器の内面は、該個別包装容器の周縁部の一部が延長されたシート片により構成され、
前記シート片は、前記陰唇間パッドの一部又は全部に巻きついて前記陰唇間パッドの拘束をすることが可能な長さ及び柔軟性を有し、かつ、
前記陰唇間パッドを前記個別包装容器から取り出すときには前記拘束が容易に解除できる解除部を有しており、
前記解除部は、前記シート片における延長端に設けられ、かつ、該延長端は、前記個別包装容器の開封部近傍に位置する包装体。
【発明の詳細な説明】
【技術分野】
【０００１】
本発明は、女性の陰唇間に装着される陰唇間パッドと、陰唇間パッドを包装する個別包装容器と、に関する。さらに詳しくは、陰唇間パッドが適正な位置からずれることを防止する個別包装容器に関する。
【背景技術】
【０００２】
従来より、月経時のため、若しくは失禁防御のため、またはこれら両方のために使用される吸収性物品として、女性の陰唇部に装着されて、経血や尿などの体液を吸収する陰唇間パッドが知られている。このような陰唇間パッドは、生理用ナプキンに比べ、身体により密着するため、経血が拡散されて身体に広く接することを防ぐので、衛生的なもの、かつ清潔なものである。また、生理用ナプキンより小型であるために、装着感に優れて快適であり、膣内に挿入するタンポンに比べ、装着時の心理抵抗も低いという特徴を有している。【０００３】
このような陰唇間パッドとして、ザ・プロクター・エンド・ギャンブル社（以下、ＰＧ社）が米国でテスト販売を行った陰唇間パッド（商品名「Ｅｎｖｉｖｅ（Ｍｏｄｅｒａｔｅ）」）がある（例えば、特許文献１）。この陰唇間パッドは、液透過性の表面側シートと、液不透過性の裏面側シートと、表面側シートと裏面側シートとの間に配置されている吸収部材と、を有する。この陰唇間パッドの表面側シートには、装着時に陰唇内壁とのなじみ性を良好にするために、なじみ性を高めるエモリエント剤（皮膚軟化剤）が含有されている。かかるエモリエント剤が含有された陰唇間パッドは、裏面側シート同士が対向するように２つ折りにされて折り畳まれ、表面側シートと個別包装容器の内面とが対向するように包装される。
【特許文献１】特表平１１−５００３４１号公報
【発明の開示】
【発明が解決しようとする課題】
【０００４】
しかし、表面側シートが含有するエモリエント剤のために、陰唇間パッドの表面側シートと個別包装容器の内面とが接触している面は滑り易くなっている。このため、陰唇間パッドの包装工程において、陰唇間パッドは個別包装容器上の適正な位置からずれ易くなり、陰唇間パッド製造時に不良品を生産してしまうおそれがある。【０００５】
本発明は、以上のような課題に鑑みてなされたものであり、その目的は、生産ライン中の包装段階で、陰唇間パッドが個別包装容器上の適正な位置からずれることを防止することにより、完成品の不良品発生率を低下させることが可能な陰唇間パッドと個別包装容器とを提供することにある。
【課題を解決するための手段】
【０００６】
より具体的には、本発明は、以下のようなものを提供する。【０００７】
（１）  着用者の陰唇に挟み込んで装着される陰唇間パッドを個別に包装するための個別包装容器であって、前記陰唇間パッドを内包するときに当該陰唇間パッドに接する領域を有する内面と、その反対側の面となる外面とを有し、前記内面には前記陰唇間パッドを所定の位置に拘束して当該陰唇間パッドの位置ずれを防止する位置ずれ防止手段を備える個別包装容器。【０００８】
上述の「位置ずれ」とは、包装段階で陰唇間パッドが最初に配置される個別包装容器上の本来置かれた適正な位置から陰唇間パッドがずれてしまうことをいう。また、「拘束」とは、個別包装容器内で陰唇間パッドの動きの自由を制限し、または陰唇間パッドの動きを停止させることである。また、「個別包装容器の内面」とは、陰唇間パッドと接する面を示すものである。つまり、個別包装容器素材が折り返されるなどして個別包装容器外面に陰唇間パッドと接する領域が存在する場合は、その領域の個別包装容器素材は個別包装容器内面の一部を構成するとするものである。【０００９】
本発明の個別包装容器は、内面に陰唇間パッドを拘束して陰唇間パッドの位置ずれを防止するための位置ずれ防止手段を備えている。これにより、包装段階において、個別包装容器上に置いた陰唇間パッドの位置をそのまま維持できるので、不適切な位置に配されることによる完成品の不良品発生率を低下させることができる。また、包装状態においても、個別包装容器に内包された陰唇間パッドの位置ずれを防止するので、搬送過程などでも個別包装容器内において陰唇間パッドが動いてしまうことにより生ずる変形や破損を防止できる。これにより、形状変化による着用者への異物感や、陰唇間パッドの外面に摩擦が加わることによる陰唇間パッド外面の毛羽立ち等の損傷を防止することができる。【００１０】
なお、この位置ずれ防止手段は、着用者が個別包装容器から陰唇間パッドを抵抗感なく容易に取り出すことを妨げない。また、個別包装容器は、陰唇間パッドの一部を包装するものでも全体を包むように包装するものであってもよい。また、個別包装容器に包装できるものであれば、陰唇間パッドは、平たいシート状であってもよく、筒状のものであってもよく、球や立方体等、あらゆる形状のものであってもよい。【００１１】
（２）  前記位置ずれ防止手段は、前記内面の全面または一部であって前記所定の位置の全部もしくは一部に、０．２００以上０．６００以下の静摩擦係数であるずれ止め要素が配されている（１）記載の個別包装容器。【００１２】
「静摩擦係数」は、互いに接触している静止した二物体を傾けたときに、一方の物体が他方の物体との接触面を滑ろうとする力と、この滑ろうとする力を阻止する力として二物体の接線方向に働く力との比で測定される。具体的には、個別包装容器の内面の静摩擦係数は、ガラス板と個別包装容器内面とが接触していて、ガラス板が固定されているとき、個別包装容器内面がガラス板上を滑ろうとする力と、個別包装容器内面がガラス板を押し付ける力の比で測定されている。【００１３】
本発明の位置ずれ防止手段は、個別包装容器の内面の少なくとも所定の位置にずれ止め要素が設けられて、このずれ止め要素の静摩擦係数は、０．２００以上０．６００以下である。ここで、「ずれ止め要素が全面または一部に配されている」とは、個別包装容器の構成素材が、かかるずれ止め要素として個別包装容器の内面全体または一部を構成している場合を含む。【００１４】
個別包装容器の内面に設けられた静摩擦係数が０．２００以上０．６００以下であるずれ止め要素の材料としては、厚さ１５〜６０μｍのポリエチレン、ポリプロピレン、ポリエチレンテレフタラート、ポリビニルアルコール、ポリ乳酸、ポリブチルサクシネート、又は不織布、紙、及びこれらのラミネート材料が挙げられる。また、樹脂に無機フィラーを充填させて延伸処理を施すことで得られる通気フィルムであっても良い。【００１５】
具体的には、低密度ポリエチレン（ＬＤＰＥ）樹脂を主体として、目付１５〜３５ｇ／ｍ２の範囲で調整したフィルムに微小な凸形状を設けた例が挙げられる。微小な凸形状の高さは０．０５ｍｍ〜２ｍｍの範囲、微小な凸形状同士の間隔は０．３ｍｍ〜２０ｍｍの範囲である。その中でも、微小な凸形状の高さが０．２ｍｍで間隔が１．５ｍｍで千鳥状に配置された微小な凸形状を有する低密度ポリエチレン（ＬＤＰＥ）樹脂を主体としたフィルムにおいては、静摩擦係数は０．２５０である。または、低密度ポリエチレン（ＬＤＰＥ）樹脂と共にエラストマー特性を得られるようなゴム成分、アンチスリップ剤等も混入してもよい。または、ポリエチレン、ポリプロピレン等から成るフィルム、若しくは不織布や紙にメルトブローンを吹き付けて、メルトブローン面を個別包装容器内面に備える個別包装容器素材が挙げられる。メルトブローンは、極細繊維の集合体であるので接触面積が大きくなり、静摩擦係数を適度な範囲内で得ることが可能である。また、個別包装容器は陰唇間パッドで吸収した体液の色を遮断できることが好ましく、顔料を０．２〜１０％の範囲で混合するか、若しくはインキなどが印刷されていても良い。【００１６】
（３）  前記位置ずれ防止手段は前記個別包装容器を構成する通気性素材であり、当該通気性素材の通気度は０．０４０ＫＰａ・ｓ／ｍ以上１．０００ＫＰａ・ｓ／ｍ以下である（１）記載の個別包装容器。【００１７】
上述の「通気度」とは、個別包装容器を通過する空気の流通の度合いを示す。【００１８】
本発明の個別包装容器は、厚み方向に通気性を有するものであり、かかる通気性につき、通気度０．０４０ＫＰａ・ｓ／ｍ以上１．０００ＫＰａ・ｓ／ｍ以下となっている。個別包装容器の通気度が０．０４０ＫＰａ・ｓ／ｍより小さいと、陰唇間パッドを個別包装容器で覆う陰唇間パッド包装工程において、サクション（吸引）装置によって吸引しながら搬送する際に、サクション（吸引）装置は、個別包装容器を介して陰唇間パッドを個別包装容器上に確実に固定できず、製造時の風速などの外圧により、陰唇間パッドが本来置かれる位置からずれやすくなってしまう。一方、１．０００ＫＰａ・ｓ／ｍより大きいと、携帯中等に個別包装容器を通して、陰唇間パッドにごみなどの異物が付着し易くなる。また、着用者がごみなどの異物が付着した陰唇間パッドの表面側シートに触れることなく取り出すことで、陰唇間パッドを衛生的に保ちやすくなり、抵抗感なく容易に陰唇間パッドを着用できるが、通気性が高いので、表面側シートがサクション装置により吸引された圧力によって損傷してしまう危険性がある。【００１９】
個別包装容器の通気度が０．０４０ＫＰａ・ｓ／ｍ以上１．０００ＫＰａ・ｓ／ｍ以下である素材としては、樹脂に無機フィラーを充填させて延伸処理を施す、または部分的に開孔処理が施されている連結孔を有するフィルム、例えば厚さ１５〜６０μｍのポリエチレン、ポリプロピレン、ポリエチレンテレフタラート、ポリビニルアルコール、ポリ乳酸、ポリブチルサクシネート、又は不織布、紙、及びこれらのラミネート材料に連結孔を施した例が挙げられる。具体的には、スパンボンド／メルトブローン／スパンボンドが、６〜１０ｇｓｍ／２〜２０ｇｓｍ／６〜１０ｇｓｍ重量で構成される、いわゆるＳＭＳ不織布が挙げられる。メルトブローンは、極細繊維の集合体であるので、高密度となりバリアー性が高いため、このメルトブローン層の目付等を調整することで適正な通気度が得られる。具体的には、スパンボンド／メルトブローン／スパンボンドが７ｇｓｍ／３ｇｓｍ／７ｇｓｍ重量で構成されているＳＭＳ不織布の通気度は、０．０７４Ｋｐａ・ｓ／ｍである。【００２０】
（４）  前記位置ずれ防止手段は、前記内面もしくは外面に取り付けられ、または個別包装容器を構成する素材自体の一部が延長されて成るシート片であり、当該シート片は、当該陰唇間パッドの一部または全部に巻きついて前記陰唇間パッドの拘束をすることが可能な長さ及び柔軟性を有し、かつ、前記陰唇間パッドを前記個別包装容器から取り出すときには前記拘束が容易に解除できる解除部を有する（１）記載の個別包装容器。【００２１】
上述の「一部または全部に巻きついて」とは、上記陰唇間パッドがシート片に巻きつけられることにより、シート片の外部から陰唇間パッドの一部が見えなくなること、または、シート片の外部から陰唇間パッドの全てが見えなくなることである。また、解除部とは、目視できるように位置付けられており、陰唇間パッドを引っ張る、またはこの解除部を引っ張ることにより、陰唇間パッドの拘束を解くものである。【００２２】
本発明の個別包装容器は、位置ずれ防止手段として、個別包装容器の内面または外面に取り付けられ、陰唇間パッドを拘束するように当該陰唇間パッドの一部または全部に巻きつけることが可能なシート片である。これにより、シート片が特に知覚過敏な陰核や肛門と接しやすい陰唇間パッドの周囲を包むことで、携帯中の衝撃からシート片の座屈強度によって保護されるので、着用者の異物感や損傷を防止することができる。また、包装状態において、個別包装容器に内包された陰唇間パッドの位置ずれを防止するので、個別包装容器内での陰唇間パッドの形状を保持することができる。これにより、形状変化による着用者への異物感や、陰唇間パッドの外面に摩擦が加わることによる陰唇間パッド外面の毛羽立ち等の損傷を防止することが可能な陰唇間パッドを提供することができる。【００２３】
なお、シート片は、個別包装容器の内面または外面に直接取り付けられても、または、個別包装容器の周縁部が一部延長されたものであっても良い。また、シート片の解除部は、切断可能とするために設けられたミシン目や、個別包装容器内面との接着面が容易に剥がれるような感圧型接着剤が塗布されている部分とすることができる。このほか、単にシート片が巻きつけられているだけで陰唇間パッドを拘束している場合には、この巻きつけをほどく部分（例えばシート片の端）でもよく、また、シート片自体が容易に切断できる素材から成る場合には、シート片のいずれの部分であってもよい。【００２４】
（５）  前記個別包装容器は、当該個別包装容器を開封するための開封部を備えているものであり、前記シート片の前記解除部は、前記個別包装容器の開封部近傍に設けられている（４）記載の個別包装容器。【００２５】
本発明の個別包装容器は、個別包装容器を開封するための開封部を備えているものであり、シート片は陰唇間パッドに対する拘束を解くための解除部を備えているものであり、解除部は、開封部側に設けられている。これにより、個別包装容器を開封すると同時にシート片の解除部を目視できるため、着用者は抵抗感なく容易に個別包装容器から陰唇間パッドを取り出すことができる。【００２６】
（６）  着用者の陰唇に挟み込んで装着される陰唇間パッドであって、身体面側に配向される表面側シートとその反対側の面に配向される裏面側シートと、を備え、前記表面側シート及び／または裏面側シートの全部または一部には、前記陰唇間パッドを個別包装容器に包装するときに前記陰唇間パッドが配置された前記個別包装容器の所定の位置からのずれを防ぐ位置ずれ防止手段を備えている陰唇間パッド。【００２７】
本発明の陰唇間パッドは、表面側シート及び／または裏面側シートに位置ずれ防止手段を備えている。これにより、製造時において、個別包装容器上に置かれる陰唇間パッドの位置ずれを防止するので、完成品の不良品発生率を低下させることができる。さらに、包装後の状態において、個別包装容器に内包された陰唇間パッドの位置ずれを防止するので、個別包装容器内での陰唇間パッドの形状を保持することができる。これにより、着用者への異物感や損傷を防止することが可能な陰唇間パッドを提供することができる。【００２８】
なお、本発明の陰唇間パッドは、経血吸収用の他、おりもの吸収用や尿失禁用等にも用いることができる。【００２９】
（７）  前記陰唇間パッドの位置ずれ防止手段は、０．２００以上０．６００以下の静摩擦係数であるずれ止め要素からなるものである（６）記載の陰唇間パッド。【００３０】
上述の陰唇間パッドの静摩擦係数は、ガラス板と陰唇間パッドとが接触していて、ガラス板が固定されているとき、陰唇間パッドがガラス板上を滑ろうとする力と、陰唇間パッドがガラス板を押し付ける力の比によって測定される。【００３１】
本発明の陰唇間パッドは、表面側シートが個別包装容器に接するときには位置ずれ防止手段は表面側シートに、裏面側シートが個別包装容器に接するときには裏面側シートに、０．２００以上０．６００以下の静摩擦係数であるずれ止め要素が配されている。【００３２】
ずれ止め要素は、具体的には以下のものである。即ち、表面側シートの材料としては、パルプ、化学パルプ、レーヨン、コットン、アセテート、合成繊維、物理的にエンボス加工されたレーヨンやアセテート、架橋剤により架橋させ、捲縮した化学パルプなどを単独、または複合して用いてよい。シートの製法に関しては、スパンボンド法、ポイントボンド法、エアースルー法、メルトブローン法、スパンレース法、抄紙法等が挙げられる。このような製法のうち、陰唇間パッドの外面には個別包装容器内面とのすべり性を高めてしまうような油剤や潤滑剤等が含まれていない方が良いため、水流交絡によって繊維交絡をし、その水流によって繊維に付着していた油剤が離脱できるスパンレース法が好ましい。【００３３】
一方、裏面側シートの材料としては、厚さ１５〜６０μｍのポリエチレン、ポリプロピレン、ポリエチレンテレフタラート、ポリビニルアルコール、ポリ乳酸、ポリブチルサクシネート、又は不織布、紙、及びこれらのラミネート材料が挙げられる。また、樹脂に無機フィラーを充填させて延伸処理を施すことで得られる通気フィルムであっても良い。具体的には、低密度ポリエチレン（ＬＤＰＥ）樹脂を主体として、目付１５〜３５ｇ／ｍ２の範囲で調整したフィルムに微小な凸形状を設けた例が挙げられる。微小な凸形の高さは０．０５ｍｍ〜２ｍｍの範囲、微小な凸形状同士の間隔は０．３〜２０ｍｍの範囲である。その中でも、微小な凸形状の高さが０．２ｍｍで間隔が１．５ｍｍで千鳥状に配置された微小な凸形状を有する低密度ポリエチレン（ＬＤＰＥ）樹脂を主体としたフィルムにおいては、静摩擦係数は０．２５０である。または、低密度ポリエチレン（ＬＤＰＥ）樹脂と共にエラストマー特性を得られるようなゴム成分、アンチスリップ剤等も混入してもよい。または、ポリエチレン、ポリプロピレン等から成るフィルム、若しくは不織布や紙にメルトブローンを吹き付けて、メルトブローン面を陰唇間パッド外面に備える裏面側シートが挙げられる。メルトブローンは、極細繊維の集合体であるので接触面積が大きくなり、静摩擦係数を適度な範囲内で得ることが可能である。【００３４】
（８）  着用者の陰唇に挟み込んで装着される陰唇間パッドと、当該陰唇間パッドを個別に包装するための個別包装容器とから成る包装体であって、前記陰唇間パッドと前記個別包装容器とが接する部分との静摩擦係数は、０．２２０以上０．５００以下である包装体。【００３５】
上述の陰唇間パッドと個別包装容器とが接する部分の静摩擦係数は、陰唇間パッドの外面と個別包装容器の内面とが接触していて、個別包装容器の内面に陰唇間パッドが固定されているとき、陰唇間パッドの外面が個別包装容器の内面上を滑ろうとする力と、陰唇間パッドの外面が個別包装容器の内面を押し付ける力の比として測定される。【００３６】
本発明の包装体は、陰唇間パッド外面、つまり表面側シートまたは裏面側シートと、個別包装容器の内面との静摩擦係数が０．２２０以上０．５００以下とすることが好ましい。このとき、個別包装容器の内面の静摩擦係数が０．２００より小さい、もしくは陰唇間パッド外面の静摩擦係数が０．２００より小さいと、個別包装容器内面と陰唇間パッド外面との静摩擦係数が０．２２０より小さくなり易い。また、個別包装容器の内面の静摩擦係数が０．６００より大きい、もしくは陰唇間パッド外面の静摩擦係数が０．６００より大きいと、陰唇間パッド外面と個別包装容器内面との静摩擦係数が０．５００より大きくなり易い。具体的な例を挙げる。個別包装容器内面は、微小な凸形状の高さが０．２ｍｍで間隔が１．５ｍｍで千鳥状に配置された微小な凸形状を有する低密度ポリエチレン（ＬＤＰＥ）樹脂を主体としたフィルムであり、その静摩擦係数は０．２５０である。一方、陰唇間パッドの外面、表面側シートはレーヨン繊維１００％で３５ｇ／ｍ２のスパンレースであり、その静摩擦係数は０．４４５である。それぞれのシートの接触面を対面させたときの静摩擦係数は０．２９９である。【００３７】
（９）  着用者の陰唇に挟み込んで装着される陰唇間パッドと、当該陰唇間パッドを個別に包装するための個別包装容器とから成る包装体であって、前記陰唇間パッドを前記個別包装容器の所定の位置に拘束して当該陰唇間パッドの位置ずれを防止するために、前記陰唇間パッドの一部と前記個別包装容器の一部とを連結する連結手段を備えているものである包装体。【００３８】
本発明の包装体は、陰唇間パッドと個別包装容器とが完全に別々となっているものでなく、陰唇間パッドの一部と個別包装容器の一部とが連結している。このため、包装状態において、個別包装容器に内包された陰唇間パッドが動いて不適切な位置にとどまることを防止するので、個別包装容器内での陰唇間パッドの形状を保持することができる。これにより、陰唇間パッドと個別包装容器と形状変化による着用者への異物感や、陰唇間パッドの外面に摩擦が加わることによる陰唇間パッドの毛羽立ち等の損傷を防止することが可能な陰唇間パッドを提供することができる。【００３９】
（１０）  前記連結手段は、前記個別包装容器の一部と前記陰唇間パッドの一部とを一体的に結合するものである（９）記載の包装体。【００４０】
上述の「一体的に結合」とは、陰唇間パッドの一部と個別包装容器の一部とが、一体となるように接合されていることをいい、例えば、熱溶着しない程度のエンボス条件で接合された場合における噛みこみエンボスの凹凸部による結合がある。【００４１】
本発明の包装体は、個別包装容器の一部と陰唇間パッドの一部とが結合することによって、個別包装容器に内包された陰唇間パッドの位置ずれを防止できるので、個別包装容器内での陰唇間パッドの形状を保持することができる。【００４２】
（１１）  前記連結手段によって連結された部分またはその近傍には、当該陰唇間パッドを前記個別包装容器から取り出すときに切り取られる切り取り部を有するものである（９）または（１０）記載の包装体。【００４３】
上述の「切り取り部」とは、陰唇間パッドの一部と個別包装容器の一部とが接合されている部分において、両者を切り離すことができるものであり、例えばミシン目のことである。【００４４】
本発明の包装体は、個別包装容器内で陰唇間パッドを固定していた連結手段において、切り取られる切り取り部を有している。これにより、陰唇間パッドを個別包装容器から取り出すときに、連結された部分、例えば噛みこみエンボスの場合には、陰唇間パッドの一部にミシン目を設け、このミシン目に沿って切り取るだけで個別包装容器から切り離すことができるので、着用者は抵抗感なく容易に個別包装容器から陰唇間パッドを取り出すことができる。【００４５】
（１２）  前記連結手段は、陰唇間パッド及び／または個別包装容器を接着するために塗布された接着剤である（９）記載の包装体。【００４６】
本発明の包装体は、連結手段が接着剤となっている。個別包装容器から陰唇間パッドを取り出すときには繊維集合体である陰唇間パッドの一部において、前記接着剤が付着した繊維が陰唇間パッド本体から切り離される。このため、陰唇間パッドを個別包装容器から取り出すときには、陰唇間パッド本体を引っ張ることにより、接着剤が付いた繊維の一部が切り取られ、着用者は容易に個別包装容器から陰唇間パッドを取り出すことができる。さらには、繊維集合体もしくはフィルム材料からなる陰唇間パッドの一部に、シリコン塗工などによりリケイ処理が施されている。陰唇間パッド本体を引っ張ることにより、接着剤を個別包装容器に残して陰唇間パッドに損傷を与えることなく取り出すことができる。なお、接着剤の塗工位置は着用者への異物感を考慮して、陰唇から露出する領域に塗工されていることが好ましい。
【発明の効果】
【００４７】
以上のように、本発明は、陰唇間パッド包装工程において、陰唇間パッドが個別包装容器の上に置くべき目的の位置からずれてしまうことを防止することにより、不良品発生率を低下させることができ、さらに、包装体の状態では個別包装容器内で陰唇間パッドが動いて変形や破壊することを防止する個別包装容器と陰唇間パッドとを提供することができる。
【図面の簡単な説明】
【００４８】
【図１】本発明の第１実施形態に係る包装体を示した斜視図である。
【図２】本発明の第２実施形態に係る包装体製造工程を示した図である。
【図３】本発明の第３実施形態に係る包装体を開いた状態の図である。
【図４】本発明の第３実施形態に係る包装体を示した断面図である。
【図５】本発明の第３実施形態に係る個別包装容器を開いた状態の図である。
【図６】本発明の第３実施形態に係る個別包装容器を開いた状態の図である。
【図７】本発明の第４実施形態に係る包装体を示した端面図である。
【図８】本発明の第５実施形態に係る包装体を示した端面図である。
【図９】本発明の第６実施形態に係る包装体を示した端面図である。
【図１０】本発明の第６実施形態に係る包装体を示した断面図である。
【図１１】本発明の静摩擦係数を測定する方法を示した図である。
【図１２】本発明の静摩擦係数を測定する方法を示した図である。
【符号の説明】
【００４９】
１０、２１０、３１０、４１０、５１０      包装体
２０、３２０、４２０                      陰唇間パッド
２２    表面側シート
２４    裏面側シート
３０、３２、３４、１３０、３３０、４３０  個別包装容器
４０    開封部
５０    生産ライン
５２    サクション装置
２６０、２６４、２６６                    シート片
２６２  解除部
３３２  エンボス
４２２  ミシン目
５７０  接着剤
６００、７００                            ブロック
６０２、７０２                            スリップテスター
６０４  素材
【発明を実施するための形態】
【００５０】
以下、本発明の各実施形態を図面に基づいて説明する。なお、以下の実施形態の説明にあたって、同一の構成要件については同一符号を付し、その説明は省略もしくは簡略化する。
【００５１】
［第１実施形態］
図１は、本発明の第１実施形態に係る包装体１０の斜視図を示す。
【００５２】
図１に示すように、包装体１０は、陰唇間パッド２０と、個別包装容器３０と、を備え、個別包装容器３０は開封部４０を備えている。
【００５３】
陰唇間パッド２０は、表面側シート２２と裏面側シート２４とを有し、裏面側シート２４同士が対向するように２つ折りにされて折り畳まれ、表面側シート２２と個別包装容器３０の内面とが対向するように個別包装容器３０で包装される。なお、陰唇間パッド２０は、表面側シート２２同士が対向するように２つ折りにされて折り畳まれ、裏面側シート２４と個別包装容器３０の内面とが対向するように個別包装容器３０で包装されていても良い。
【００５４】
陰唇間パッド２０の表面側シート２２または裏面側シート２４と接する個別包装容器３０の内面の所定の位置は、０．２００以上０．６００以下の静摩擦係数となるように調整されたずれ止め要素が配されている。また、個別包装容器３０と接する陰唇間パッド２０の表面側シート２２または裏面側シート２４と、陰唇間パッド２０の外面と接する個別包装容器３０の内面との静摩擦係数は、０．２２０以上０．５００以下である。このように、各部材の静摩擦係数を調節することにより、製造過程において、または包装体１０の状態において、陰唇間パッド２０を拘束することができ、陰唇間パッド２０の位置ずれを防止することができる。また、各部材は、適度な静摩擦係数を有しているので、着用者は抵抗感なく容易に個別包装容器から陰唇間パッド２０を取り出すことができる。
【００５５】
なお、第１実施形態は、個別包装容器３０の内面の所定の位置に、０．２００以上０．６００以下の静摩擦係数であるずれ止め要素を配しているが、陰唇間パッド２０の表面側シート２２または裏面側シート２４の所定の位置に、０．２００以上０．６００以下の静摩擦係数であるずれ止め要素を配してもよい。
【００５６】
［第２実施形態］
図２は、本発明の第２実施形態に関わる包装体１１０の製造工程を表す図である。
【００５７】
本実施形態において、ずれ止め要素を個別包装容器１３０が厚み方向に有する通気度とした点が、前記第１実施形態と異なる。個別包装容器１３０の通気度は０．０４０ＫＰａ・ｓ／ｍ以上１．０００ＫＰａ・ｓ／ｍ以下としたものである。図２には、包装体１１０の製造工程を示す。まず、生産ライン５０にはサクション装置５２が備えられ、このサクション装置５２の上面には、個別包装容器１３０が載せられている。次に、個別包装容器１３０の上に等間隔で陰唇間パッド２０が載せられ、ｋの方向に搬送される。このとき、０．０４０ＫＰａ・ｓ／ｍ以上１．０００ＫＰａ・ｓ／ｍ以下の通気度を有する個別包装容器１３０を介したサクション吸引により、陰唇間パッド２０は、サクション装置５２上に拘束される。これにより、包装体１１０が容易に成形でき、かつ不良品の生産を防止することができる。
【００５８】
［第３実施形態］
図３は、本発明の第３実施形態に関わる包装体２１０の開いた状態を示す図である。図４は、本発明の第３実施形態に係る包装体２１０を組み立てた後のＸ１−Ｘ２方向の断面図を示す。
【００５９】
本実施形態において、図３に示すように、ずれ止め要素をシート片２６０とした点が、前記第１実施形態と異なる。シート片２６０は、陰唇間パッド２０と個別包装容器３０との間に設けられている。また、シート片２６０は、陰唇間パッド２０の少なくとも一部または全部を巻きつけることが可能な長さ及び柔軟性を有している。陰唇間パッドが携帯中に折れ曲げられると、折れ曲がった部分が着用者の肌を刺激するおそれがあるが、本実施形態のように、シート片２６０が、陰唇間パッド２０の特に知覚過敏な陰核や肛門と接しやすい箇所の周囲を包むことで、携帯中の衝撃からシート片２６０の座屈強度によって保護されるので、着用者の異物感や損傷を防止することができる。また、個別包装容器３０に内包された陰唇間パッド２０の位置ずれを防止するので、個別包装容器３０内での陰唇間パッド２０の形状を保持することができる。これにより、形状変化による着用者への異物感や、陰唇間パッド２０の外面に摩擦が加わることによる陰唇間パッド２０外面の毛羽立ち等の損傷を防止することができる。さらに、シート片２６０は陰唇間パッド２０を剥がすための解除部２６２を備えているものであり、個別包装容器３０は個別包装容器３０を開封するための開封部４０を備えているものであり、解除部２６２は、開封部４０側に設けられている。これにより、個別包装容器３０を開封すると同時にシート片２６０の解除部２６２を目視できるため、着用者は抵抗感なく容易に個別包装容器３０から陰唇間パッド２０を取り出すことができる。
【００６０】
なお、シート片２６０は、図５に示すように個別包装容器３２の周縁部の一部が延長されたシート片２６４であっても良いし、図６に示すように個別包装容器３４の外面に接合されたシート片２６６であっても良い。シート片２６４は、折り目ｍで個別包装容器３２内側に折られ、陰唇間パッドの一部または全部に巻きつければ良い。また、シート片２６６は、折り目ｎで個別包装容器３４内側に折られ、陰唇間パッドの一部または全部に巻きつければ良い。
【００６１】
［第４実施形態］
図７は、本発明の第４実施形態に関わる包装体３１０の端面図を示す。
【００６２】
本実施形態において、包装体３１０は、個別包装容器３３０の一部と陰唇間パッド３２０の一部とを連結する連結手段としての噛みこみエンボスによる凹凸部３３２を備えている点が、前記第１実施形態と異なる。これにより、包装状態における結合によって個別包装容器３３０に内包された陰唇間パッド３２０の位置ずれを防止するので、個別包装容器３３０内での陰唇間パッド３２０の形状を保持することができる。
【００６３】
［第５実施形態］
図８は、本発明の第５実施形態に関わる包装体４１０の端面図を示す。
【００６４】
本実施形態において、図８に示すように、包装体４１０は、第４実施形態の包装体３１０と同様に連結手段としての凹凸部４３２を備えている。包装体４１０、陰唇間パッド４２０の一部と個別包装容器４３０の一部とが凹凸部４３２により接合されている点が、前記第１実施形態と異なる。これにより、包装状態において、連結手段によって個別包装容器４３０に内包された陰唇間パッド４２０の位置ずれを防止するので、個別包装容器内での陰唇間パッドの形状を保持することができる。また、包装体４１０は、陰唇間パッド４２０と個別包装容器４３０との間に設けられた切り取り部であるミシン目４２２を有する。これにより、本発明の包装体４１０は、ミシン目４２２を切り取るだけで陰唇間パッド４２０と個別包装容器４３０とが接合された部分から陰唇間パッド４２０を切り離すことができるので、着用者は抵抗感なく容易に個別包装容器４３０から陰唇間パッド４２０を取り出すことができる。
【００６５】
［第６実施形態］
図９は、本発明の第６実施形態に関わる包装体５１０の端面を示す斜視図である。図１０は、本発明の第６実施形態に係る包装体５１０のＹ１−Ｙ２方向の断面図を示す。
【００６６】
本実施形態において、図９及び図１０に示すように、位置ずれ防止手段として、陰唇間パッド５３０と個別包装容器５２０との間にこれらを連結する連結手段としての接着剤５７０を塗布した点が、前記第１実施形態と異なる。接着剤５７０が塗布されているため、位置ずれが防止される。個別包装容器の内面と接触する陰唇間パッド５２０の表面側シート５２２は、繊維集合体であり、個別包装容器５３０から陰唇間パッド５２０を取り出すときには接着剤５７０が付着した繊維の一部のみが陰唇間パッド５２０本体から切り離される。さらに、繊維集合体もしくはフィルム材料からなる陰唇間パッド５２０の表面側シート５２２には、シリコン塗工などによりリケイ処理が施されている。したがって、接着力は強くないため、陰唇間パッド５２０本体を引っ張ることにより、接着剤５７０を個別包装容器５３０に残したまま、陰唇間パッド５２０に損傷を与えることなく取り出すことができる。なお、接着剤５７０の塗工位置は着用者への異物感を考慮して、陰唇から露出する領域に塗工されていることが好ましい。
【００６７】
＜包装体を構成する各素材の静摩擦係数測定方法＞
本発明の包装体を構成する各素材の静摩擦係数の測定方法を、図１１に示す。まず、包装体を構成する素材６０４（表面側シート及び裏面側シート並びに個別包装容器）を、それぞれ陰唇間パッドの吸収体の長さ方向（以下、「ＭＤ方向」という）を１５ｍｍ、陰唇間パッドの吸収体の長さ方向に直行する幅方向（以下、「ＣＤ方向」という）を１５ｍｍで採取する。次に、採取した素材の測定面を摩擦面として、１０ｇ／（１０ｍｍ×１０ｍｍ）のブロック６００に取り付ける。
【００６８】
続いて、包装体を構成する素材６０４（表面側シート及び裏面側シート並びに個別包装容器）を取り付けたブロック６００を、ガラス板状のスリップテスター６０２上に載せる。その後、スリップテスター６０２をｐ方向に傾斜させていき、ブロック６００が滑り始めた瞬間の傾斜角を測定する。
【００６９】
最後に、静摩擦係数を求める。ここで、包装体を構成する各素材６０４の静摩擦係数をμ、ブロック６００が滑り始めた瞬間の傾斜角をθとすると以下の式になる。
【００７０】
【数１】
0004890859.tif 000002
【００７１】
以上の式により、包装体を構成する各素材６０４の静摩擦係数を求めることができる。
【００７２】
＜陰唇間パッドと個別包装容器との間の静摩擦係数測定方法＞
本発明の陰唇間パッドと個別包装容器との間の静摩擦係数測定方法を、図１２に示す。まず、陰唇間パッドの外面７０４（表面側シートと裏面側シート）を、それぞれ陰唇間パッドの吸収体の長さ方向（以下、「ＭＤ方向」という）を１５ｍｍ、陰唇間パッドの吸収体の長さ方向に直行する幅方向（以下、「ＣＤ方向」という）を１５ｍｍで採取する。次に、採取した素材の測定面を摩擦面として、１０ｇ／（１０ｍｍ×１０ｍｍ）のブロック７００に取り付ける。続いて、個別包装容器を、少なくともＭＤ×ＣＤ：１５ｍｍ×１５ｍｍ以上に採取する。さらに、個別包装容器内面７０６を摩擦面としてガラス板状のスリップテスター７０２に隙間なく取り付ける。
【００７３】
続いて、陰唇間パッドの外面７０４（表面側シートと裏面側シート）を取り付けたブロック７００を、個別包装容器内面７０６を隙間なく取り付けたスリップテスター７０２上に載せる。その後、スリップテスター７０２をｑ方向に傾斜させていき、ブロック７００が滑り始めた瞬間の傾斜角を測定する。
【００７４】
最後に、静摩擦係数を求める。ここで、陰唇間パッドの外面７０４と個別包装容器内面７０６との間の静摩擦係数をμ、ブロック７００が滑り始めた瞬間の傾斜角をθとすると以下の式になる。
【００７５】
【数２】
0004890859.tif 000003
【００７６】
以上の式により、陰唇間パッドの外面と個別包装容器内面との間の静摩擦係数を求めることができる。
【００７７】
［陰唇間パッドの構成材料］
＜個別包装容器＞
個別包装容器の材料としては、厚さ１５〜６０μｍのポリエチレン、ポリプロピレン、ポリエチレンテレフタラート、ポリビニルアルコール、ポリ乳酸、ポリブチルサクシネート、又は不織布、紙、及びこれらのラミネート材料が挙げられる。また、樹脂に無機フィラーを充填させて延伸処理を施すことで得られる通気フィルムであっても良い。具体的には、低密度ポリエチレン（ＬＤＰＥ）樹脂を主体として、目付１５〜３５ｇ／ｍ２の範囲で調整したフィルムに微小な凸形状を設けた例が挙げられる。微小な凸形状の高さは０．０５ｍｍ〜２ｍｍの範囲、微小な凸形状同士の間隔は０．３ｍｍ〜２０ｍｍの範囲である。その中でも、微小な凸形状の高さが０．２ｍｍで間隔が１．５ｍｍで千鳥状に配置された微小な凸形状を有する低密度ポリエチレン（ＬＤＰＥ）樹脂を主体としたフィルムにおいては、静摩擦係数は０．２５０である。または、低密度ポリエチレン（ＬＤＰＥ）樹脂と共にエラストマー特性を得られるようなゴム成分、アンチスリップ剤等も混入してもよい。または、ポリエチレン、ポリプロピレン等から成るフィルム、若しくは不織布や紙にメルトブローンを吹き付けて、メルトブローン面を個別包装容器内面に備える個別包装容器素材が挙げられる。メルトブローンは、極細繊維の集合体であるので接触面積が大きくなり、静摩擦係数を適度な範囲内で得ることが可能である。また、個別包装容器は陰唇間パッドで吸収した体液の色を遮断できることが好ましく、顔料を０．２〜１０％の範囲で混合する、若しくはインキなどが印刷されていても良い。また、通気度が０．０４０ＫＰａ・ｓ／ｍ以上１．０００ＫＰａ・ｓ／ｍ以下である個別包装容器は、樹脂に無機フィラーを充填させて延伸処理を施す、または部分的に開孔処理が施されている連結孔を有するフィルム、ことで得られる通気フィルム、厚さ１５〜６０μｍのポリエチレン、ポリプロピレン、ポリエチレンテレフタラート、ポリビニルアルコール、ポリ乳酸、ポリブチルサクシネート、又は不織布、紙、及びこれらのラミネート材料に連結孔を施した例が挙げられる。具体的には、スパンボンド／メルトブローン／スパンボンドが、６〜１０ｇｓｍ／／２〜２０ｇｓｍ／６〜１０ｇｓｍ重量で構成される、いわゆるＳＭＳ不織布が挙げられる。メルトブローンは、極細繊維の集合体であるので、高密度となりバリアー性が高いため、このメルトブローン層の目付等を調整することで適正な通気度が得られる。
【００７８】
＜陰唇間パッドの表面側シート＞
陰唇間パッドの身体側に配置される表面側シート２２は、透水性であり、かつ液親水性であり、肌に刺激を与えない素材が用いられる。このような素材としては、パルプ、化学パルプ、レーヨン、コットン、アセテート、合成繊維、物理的にエンボス加工されたレーヨンやアセテート、架橋剤により架橋させ、捲縮した化学パルプなどを単独、または複合して用いてよい。シートの製法に関しては、スパンボンド法、ポイントボンド法、エアースルー法、メルトブローン法、スパンレース法、抄紙法等が挙げられる。このような製法のうち、陰唇間パッドの外面には個別包装容器内面とのすべり性を高めてしまうような油剤や潤滑剤等が含まれていない方が良いため、水流交絡によって繊維交絡をし、その水流によって繊維に付着していた油剤が離脱できるスパンレース法が好ましい。
【００７９】
＜陰唇間パッドの裏面側シート＞
陰唇間パッドに使用される液難透過性である裏面側シート２４は、難透水性の素材が使用される。この難透水性のシートの材料としては、吸収部材に保持された経血が陰唇間パッドの外へ漏れ出すことを防止できるものを使用することができる。また、透湿性素材を使用することにより、装着時の蒸れを低減させることができ、装着時における不快感を低減させることが可能となる。このような裏面側シートの材料としては、厚さ１５〜６０μｍのポリエチレン、ポリプロピレン、ポリエチレンテレフタラート、ポリビニルアルコール、ポリ乳酸、ポリブチルサクシネート、又は不織布、紙、及びこれらのラミネート材料が挙げられる。また、樹脂に無機フィラーを充填させて延伸処理を施すことで得られる通気フィルムであっても良い。具体的には、低密度ポリエチレン（ＬＤＰＥ）樹脂を主体として、目付１５〜３５ｇ／ｍ２の範囲で調整したフィルムに微小な凸形状を設けた例が挙げられる。微小な凸形の高さは０．０５ｍｍ〜２ｍｍの範囲、微小な凸形状同士の間隔は０．３〜２０ｍｍの範囲である。その中でも、微小な凸形状の高さが０．２ｍｍで間隔が１．５ｍｍで千鳥状に配置された微小な凸形状を有する低密度ポリエチレン（ＬＤＰＥ）樹脂を主体としたフィルムにおいては、静摩擦係数は０．２５０である。または、低密度ポリエチレン（ＬＤＰＥ）樹脂と共にエラストマー特性を得られるようなゴム成分、アンチスリップ剤等も混入してもよい。または、ポリエチレン、ポリプロピレン等から成るフィルム、若しくは不織布や紙にメルトブローンを吹き付けて、メルトブローン面を陰唇間パッド外面に備える裏面側シートが挙げられる。メルトブローンは、極細繊維の集合体であるので接触面積が大きくなり、静摩擦係数を適度な範囲内で得ることが可能である。
【産業上の利用可能性】
【００８０】
本発明は、内包する陰唇間パッドが個別包装容器上の適正な位置からのずれを生じない個別包装容器と陰唇間パッドとして使用することができる。
【図１】
0004890859.tif 000004
【図２】
0004890859.tif 000005
【図３】
0004890859.tif 000006
【図４】
0004890859.tif 000007
【図５】
0004890859.tif 000008
【図６】
0004890859.tif 000009
【図７】
0004890859.tif 000010
【図８】
0004890859.tif 000011
【図９】
0004890859.tif 000012
【図１０】
0004890859.tif 000013
【図１１】
0004890859.tif 000014
【図１２】
0004890859.tif 000015